【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
入射光量に応じて電気信号に変換し、変換して得た画像信号を出力する撮像手段と、
花火撮影モードと、通常撮影モードとを少なくとも含む複数の撮影モードを切り替えるモード切替手段と、
花火撮影モードで用いる第１のガンマ特性と、通常撮影モードで用いる第２のガンマ特性とを含むガンマ特性を切り替えるガンマ特性切替手段と、
前記モード切替手段により花火撮影モードに切り替えられた場合に、前記撮像手段から出力された画像信号に対して、前記ガンマ特性切替手段により切り替えられた第１のガンマ特性を用いてガンマ変換を行うガンマ変換手段とを有し、
前記第１のガンマ特性は、前記第２のガンマ特性よりも低輝度を抑制する特性を有することを特徴とする撮像装置。
【請求項２】
前記第１のガンマ特性は、更に、前記第２のガンマ特性よりも高輝度を強調する特性を有することを特徴とする請求項１に記載の撮像装置。
【請求項３】
入射光量に応じて電気信号に変換し、変換して得た画像信号を出力する撮像手段と、
花火撮影モードと、通常撮影モードとを少なくとも含む複数の撮影モードを切り替えるモード切替手段と、
花火撮影モードで用いる第１の輪郭強調量と、通常撮影モードで用いる第２の輪郭強調量とを含む輪郭強調量を切り替える輪郭強調量切替手段と、
前記モード切替手段により花火撮影モードに切り替えられた場合に、前記撮像手段から出力された画像信号に対して、前記輪郭強調量切替手段により切り替えられた第１の輪郭強調量を用いて輪郭強調を行う輪郭強調手段とを有することを特徴とする撮像装置。
【請求項４】
前記第１の輪郭強調量は、前記第２の輪郭強調量よりも小さいことを特徴とする請求項３に記載の撮像装置。
【請求項５】
入射光量に応じて電気信号に変換し、変換して得た画像信号を出力する撮像手段と、
花火撮影モードと、通常撮影モードとを少なくとも含む複数の撮影モードを切り替えるモード切替手段と、
花火撮影モードで用いる第１の彩度調整量と、通常撮影モードで用いる第２の彩度調整量とを含む彩度調整量を切り替える彩度調整量切替手段と、
前記モード切替手段により花火撮影モードに切り替えられた場合に、前記撮像手段から出力された画像信号に対して、前記彩度調整量切替手段により切り替えられた第１の彩度調整量を用いて彩度調整を行う彩度調整手段とを有することを特徴とする撮像装置。
【請求項６】
前記第１の彩度調整量は、前記第２の彩度調整量よりも色信号の彩度を高くする調整量であることを特徴とする請求項５に記載の撮像装置。
【請求項７】
花火撮影モード時のホワイトバランスを所定値に固定することを特徴とする請求項１乃至６のいずれか１項に記載の撮像装置。
【請求項８】
入射光量に応じて電気信号に変換し、変換して得た画像信号を出力する撮像工程と、
花火撮影モードと、通常撮影モードとを少なくとも含む複数の撮影モードを切り替えるモード切替工程と、
花火撮影モードで用いる第１のガンマ特性と、通常撮影モードで用いる第２のガンマ特性とを含むガンマ特性を切り替えるガンマ特性切替工程と、
前記モード切替工程により花火撮影モードに切り替えられた場合に、前記撮像工程で出力された画像信号に対して、前記ガンマ特性切替工程により切り替えられた第１のガンマ特性を用いてガンマ変換を行うガンマ変換工程とを有し、
前記第１のガンマ特性は、前記第２のガンマ特性よりも低輝度を抑制する特性を有することを特徴とする撮像装置の制御方法。
【請求項９】
前記第１のガンマ特性は、更に、前記第２のガンマ特性よりも高輝度を強調する特性を有することを特徴とする請求項８に記載の制御方法。
【請求項１０】
入射光量に応じて電気信号に変換し、変換して得た画像信号を出力する撮像工程と、
花火撮影モードと、通常撮影モードとを少なくとも含む複数の撮影モードを切り替えるモード切替工程と、
花火撮影モードで用いる第１の輪郭強調量と、通常撮影モードで用いる第２の輪郭強調量とを含む輪郭強調量を切り替える輪郭強調量切替工程と、
前記モード切替工程により花火撮影モードに切り替えられた場合に、前記撮像工程で出力された画像信号に対して、前記輪郭強調量切替工程により切り替えられた第１の輪郭強調量を用いて輪郭強調を行う輪郭強調工程とを有することを特徴とする撮像装置の制御方法。
【請求項１１】
前記第１の輪郭強調量は、前記第２の輪郭強調量よりも小さいことを特徴とする請求項１０に記載の制御方法。
【請求項１２】
入射光量に応じて電気信号に変換し、変換して得た画像信号を出力する撮像工程と、
花火撮影モードと、通常撮影モードとを少なくとも含む複数の撮影モードを切り替えるモード切替工程と、
花火撮影モードで用いる第１の彩度調整量と、通常撮影モードで用いる第２の彩度調整量とを含む彩度調整量を切り替える彩度調整量切替工程と、
前記モード切替工程により花火撮影モードに切り替えられた場合に、前記撮像手段から出力された画像信号に対して、前記彩度調整量切替工程により切り替えられた第１の彩度調整量を用いて彩度調整を行う彩度調整工程とを有することを特徴とする撮像装置の制御方法。
【請求項１３】
前記第１の彩度調整量は、前記第２の彩度調整量よりも色信号の彩度を高くする調整量であることを特徴とする請求項１２に記載の制御方法。
【請求項１４】
花火撮影モード時のホワイトバランスを所定値に固定することを特徴とする請求項８乃至１３のいずれか１項に記載の制御方法。
【請求項１５】
入射光量に応じて電気信号に変換し、変換して得た画像信号を所定時間間隔で出力する撮像手段と、
花火撮影モードと、通常撮影モードとを少なくとも含む複数の撮影モードを切り替えるモード切替手段と、
画像信号を前記所定時間遅延させる遅延手段と、
前記モード切替手段により花火撮影モードに切り替えられた場合に、前記撮像手段から出力される画像信号と、前記遅延手段から出力される画像信号を所定の割合で加算して出力する加算手段とを有し、
前記遅延手段は、前記加算手段により加算された画像信号を遅延させることを特徴とする撮像装置。
【請求項１６】
前記モード切替手段によって切り替えられる撮影モードに応じて、前記加算手段で用いる割合を設定する設定手段を更に有し、
前記設定手段は、前記花火撮影モードにおいて、前記通常撮影モードよりも、前記遅延手段から出力される画像信号の割合を高く設定することを特徴とする請求項１５に記載の撮像装置。
【請求項１７】
前記設定手段は、加算手段にて加算される、前記撮像手段から出力される画像信号の割合と、前記遅延手段から出力される画像信号の割合の合計が１となるように設定することを特徴とする請求項１６に記載の撮像装置。
【請求項１８】
前記設定手段は、前記通常撮影モードにおいて、前記遅延手段から出力される画像信号の割合を０に設定することを特徴とする請求項１６または１７に記載の撮像装置。
【請求項１９】
入射光量に応じて電気信号に変換し、変換して得た画像信号を所定時間間隔で出力する撮像工程と、
花火撮影モードと、通常撮影モードとを少なくとも含む複数の撮影モードを切り替えるモード切替工程と、
画像信号を前記所定時間遅延させる遅延工程と、
前記モード切替工程により花火撮影モードに切り替えられた場合に、前記撮像工程において出力される画像信号と、前記遅延工程において遅延される画像信号を所定の割合で加算して出力する加算工程とを有し、
前記遅延工程では、前記加算工程において加算された画像信号を遅延させることを特徴とする撮像装置の制御方法。
【請求項２０】
前記モード切替工程によって切り替えられる撮影モードに応じて、前記加算工程において用いる割合を設定する設定工程を更に有し、
前記設定工程では、前記花火撮影モードにおいて、前記通常撮影モードよりも、前記遅延工程から出力される画像信号の割合を高く設定することを特徴とする請求項１９に記載の制御方法。
【請求項２１】
前記設定工程では、前記加算工程において加算される、前記撮像工程から出力される画像信号の割合と、前記遅延工程において遅延される画像信号の割合の合計が１となるように設定することを特徴とする請求項２０に記載の制御方法。
【請求項２２】
前記設定工程では、前記通常撮影モードにおいて、前記遅延工程で出力される画像信号の割合を０に設定することを特徴とする請求項２０または２１に記載の制御方法。
【請求項２３】
音声を画像と共に記録する撮像装置であって、
音声を入力し、音声信号に変換して出力する音声入力手段と、
花火撮影モードと、通常撮影モードとを少なくとも含む複数の撮影モードを切り替えるモード切替手段と、
花火撮影モードで用いる第１の音声周波数特性と、通常撮影モードで用いる第２の音声周波数特性とを含む周波数特性を切り替える周波数特性切替手段と、
前記モード切替手段により花火撮影モードに切り替えられた場合に、前記音声入力手段から出力された音声信号に対して、前記周波数特性切替手段により切り替えられた第１の音声周波数特性を用いて音声周波数特性変換を行う特性変換手段とを有し、
前記第１の音声周波数特性は、前記第２の音声周波数特性よりも、低音を強調する特性を有することを特徴とする撮像装置。
【請求項２４】
音声を画像と共に記録する撮像装置の制御方法であって、
音声を入力し、音声信号に変換して出力する音声入力工程と、
花火撮影モードと、通常撮影モードとを少なくとも含む複数の撮影モードを切り替えるモード切替工程と、
花火撮影モードで用いる第１の音声周波数特性と、通常撮影モードで用いる第２の音声周波数特性とを含む周波数特性を切り替える周波数特性切替工程と、
前記モード切替工程により花火撮影モードに切り替えられた場合に、前記音声入力工程から出力された音声信号に対して、前記周波数特性切替工程において切り替えられた第１の音声周波数特性を用いて音声周波数特性変換を行う特性変換工程とを有し、
前記第１の音声周波数特性は、前記第２の音声周波数特性よりも、低音を強調する特性を有することを特徴とする制御方法。
【請求項２５】
情報処理装置に、請求項８、１０、１２、１９、２４のいずれか１項に記載の制御方法の各工程を実行させるためのプログラム。
【請求項２６】
請求項２５に記載のプログラムを格納したことを特徴とする情報処理装置が読み取り可能な記憶媒体。
【手続補正２】
【補正対象書類名】明細書
【補正対象項目名】００１８
【補正方法】変更
【補正の内容】
【００１８】
また、上記第３の目的を達成するために、音声を画像と共に記録する本発明の撮像装置は、音声を入力し、音声信号に変換して出力する音声入力手段と、花火撮影モードと、通常撮影モードとを少なくとも含む複数の撮影モードを切り替えるモード切替手段と、花火撮影モードで用いる第１の音声周波数特性と、通常撮影モードで用いる第２の音声周波数特性とを含む周波数特性を切り替える周波数特性切替手段と、前記モード切替手段により花火撮影モードに切り替えられた場合に、前記音声入力手段から出力された音声信号に対して、前記周波数特性切替手段により切り替えられた第１の音声周波数特性を用いて音声周波数特性変換を行う特性変換手段とを有し、前記第１の音声周波数特性は、前記第２の音声周波数特性よりも、低音を強調する特性を有する。
【手続補正３】
【補正対象書類名】明細書
【補正対象項目名】００１９
【補正方法】変更
【補正の内容】
【００１９】
また、音声を画像と共に記録する本発明の撮像装置の制御方法は、音声を入力し、音声信号に変換して出力する音声入力工程と、花火撮影モードと、通常撮影モードとを少なくとも含む複数の撮影モードを切り替えるモード切替工程と、花火撮影モードで用いる第１の音声周波数特性と、通常撮影モードで用いる第２の音声周波数特性とを含む周波数特性を切り替える周波数特性切替工程と、前記モード切替工程により花火撮影モードに切り替えられた場合に、前記音声入力工程から出力された音声信号に対して、前記周波数特性切替工程において切り替えられた第１の音声周波数特性を用いて音声周波数特性変換を行う特性変換工程とを有し、前記第１の音声周波数特性は、前記第２の音声周波数特性よりも、低音を強調する特性を有する。
【手続補正４】
【補正対象書類名】明細書
【補正対象項目名】００２４
【補正方法】変更
【補正の内容】
【００２４】
＜第１の実施形態＞
図１は本発明の第１の実施形態を概略的に示す電子カメラの撮像系のブロック図である。同図において、１０１はレンズ、１０２は露光量調節を行う絞り、１０３は撮像素子、１０４は撮像素子の出力をサンプリングしてＡ／Ｄ変換を行うアナログフロントエンド（ＡＦＥ）、１０５は輝度／色（Ｙ／Ｃ）分離回路、１０６は色信号処理部、１０７は輝度信号処理部、１０８は色差マトリクス回路、１０９はモード切替部、１１１はシャッター制御部、１１２は輝度信号処理部１０７に含まれる輝度信号処理回路、１１３は輝度信号処理部１０７に含まれガンマ変換処理を行うガンマ回路、１１０はガンマ回路１１３にガンマカーブデータを与えると共に、ガンマ回路１１３、輪郭強調回路１１４、彩度補正回路１１６を制御するモード制御部、１１４は輝度信号処理部１０７に含まれ輪郭強調処理を行う輪郭強調回路、１１５は色信号処理部１０６に含まれる色信号処理回路、１１６は色信号処理部１０６に含まれ、色信号のレベルの補正を行う彩度補正回路である。
【手続補正５】
【補正対象書類名】明細書
【補正対象項目名】００２５
【補正方法】変更
【補正の内容】
【００２５】
レンズ１０１に入射した光は絞り１０２により適正露光に調整され、撮像素子１０３で光電変換される。撮像素子１０３で光電変換された映像信号はアナログフロントエンド１０４でサンプリングおよびＡ／Ｄ変換され、Ｙ／Ｃ分離回路１０５で輝度信号と色信号に分離される。Ｙ／Ｃ分離回路１０５で分離された色信号は色信号処理部１０６において、色信号処理回路１１５でホワイトバランス制御などの色系の信号処理を経て、彩度補正回路１１６にて色の彩度を補正されたのち、色差マトリクス回路１０８へ入力される。一方、Ｙ／Ｃ分離回路１０５で分離された輝度信号は輝度信号処理部１０７に入力され、輝度信号処理回路１１２にて輝度系の信号処理を、また輪郭強調回路１１４にて輪郭強調などの処理を施され、ガンマ回路１１３においてガンマ変換処理をされた後に、色差マトリクス回路１０８へ入力され、色差信号となって出力される。また本第１の実施形態では、絞り１０２は静止画撮影時の露光時間を調節するシャッターの役割も備え、静止画撮影の場合には撮像素子が電荷を蓄積し始めた後に絞り１０２を閉じることによって露光時間が決定する。